(57)【要約】      （修正有）【課題】表示可能な情報量が限られていないヘッドアップディスプレイを提供する。【解決手段】複数の画像を生成する結像ユニットと、光学手段２とを有するヘッドアップディスプレイ１であって、光学手段２は、少なくとも２つの投影面Ｉｖ１、Ｉｖ２に画像を投影し、少なくとも一つの投影面Ｉｖ１、Ｉｖ２が仮想投影面であり、投影面Ｉｖ１、Ｉｖ２は、一方が他方の後ろに配列され、投影面Ｉｖ１、Ｉｖ２間の距離は１．６〜２．４ｍ、好ましくは１．８〜２．０ｍであり、投影面Ｉｖ１、Ｉｖに表示される画像は一緒になって３Ｄ画像を生成し、投影面Ｉｖ１、Ｉｖ２に表示される画像の情報内容は互いに独立であり、複数の情報項目が同時に又は連続的に投影面Ｉｖ１、Ｉｖ２に表示され、投影面Ｉｖ１、Ｉｖ２は、観察者の目３から異なる距離に存在し、２つの結像ユニットを有し、前記光学手段２は少なくとも一つの可動部分を有するヘッドアップディスプレイ１。【選択図】図１
2018141997.tif 000002
【特許請求の範囲】
【請求項１】
複数の画像を生成する結像ユニットと、
光学手段（２）と
を有するヘッドアップディスプレイ（１）であって、
前記光学手段（２）は、少なくとも２つの投影面（Ｉｖ１、Ｉｖ２）に前記画像を投影し、
前記投影面（Ｉｖ１、Ｉｖ２）は、観察者の目（３）から異なる距離に存在するヘッドアップディスプレイ（１）。
【請求項２】
少なくとも一つ投影面（Ｉｖ１、Ｉｖ２）が仮想投影面である、請求項１に記載のヘッドアップディスプレイ（１）。
【請求項３】
前記投影面（Ｉｖ１、Ｉｖ２）は、一方が他方の後ろに配列される、請求項１又は２に記載のヘッドアップディスプレイ。
【請求項４】
前記投影面（Ｉｖ１、Ｉｖ２）間の距離は１．６〜２．４ｍ、好ましくは１．８〜２．０ｍである、請求項３に記載のヘッドアップディスプレイ。
【請求項５】
前記投影面（Ｉｖ１、Ｉｖ２）に表示される前記画像は一緒になって３Ｄ画像を生成する、請求項１から４のいずれか一項に記載のヘッドアップディスプレイ。
【請求項６】
前記投影面（Ｉｖ１、Ｉｖ２）に表示される前記画像の情報内容は互いに独立である、請求項１から３のいずれか一項に記載のヘッドアップディスプレイ。
【請求項７】
複数の情報項目が同時に又は連続的に前記投影面（Ｉｖ１、Ｉｖ２）に表示される、請求項１から６のいずれか一項に記載のヘッドアップディスプレイ。
【請求項８】
２つの結像ユニットを有する、請求項１から７のいずれか一項に記載のヘッドアップディスプレイ。
【請求項９】
前記光学手段は少なくとも一つの可動部分を有する、請求項１から８のいずれか一項に記載のヘッドアップディスプレイ。
【発明の詳細な説明】
【技術分野】
【０００１】
本発明は、自動車のヘッドアップディスプレイに関する。
【背景技術】
【０００２】
かかるヘッドアップディスプレイは、先行技術によれば、運転者にとって興味ある情報を、自動車のフロントガラスに投影するべく使用される。しかしながら、当該ディスプレイには、表示可能な情報量が限られているという短所がある。
【先行技術文献】
【特許文献】
【０００３】
【特許文献１】特開２００９−０１５１２８号公報
【特許文献２】特開平６−１４４０８２号公報
【発明の概要】
【０００４】
そこで、本発明の目的は、先行技術の短所を有しないヘッドアップディスプレイを与えることにある。
【０００５】
本目的は、いずれの場合も、少なくとも２つの投影面を有するヘッドアップディスプレイによって達成される。少なくとも２つの投影面は、例えば自動車運転者のような観察者の目から異なる距離に存在する。
【０００６】
本発明は、例えば車両運転者が頭部及び／又は目を移動させる必要なしに情報を表示可能なヘッドアップディスプレイに関する。当該情報は、例えば速度、回転数等のような車両関連情報、又は他の、例えば娯楽報道情報、若しくはナビゲーションシステムからの方向案内のような情報であり得る。
【０００７】
本発明によれば、例えば自動車運転者に対する情報は、この場合、複数の投影面に表示される。その投影面は、一方が他方の後ろに離間して配列されるのが好ましい。特に好ましくは、双方の投影面は、進行方向においてかつ一方が他方の後ろに設けられる。当該投影面の一方は、自動車のフロントガラスである。しかしながら、いずれの場合も、少なくとも一つの投影面、特に好ましくは複数の投影面が仮想投影面となる。投影面、特に仮想投影面と、観察者の目との間の距離は、好ましくは１．６〜２．４ｍ、特に好ましくは１．８〜２．０ｍである。特に好ましくは、車両速度、既存の速度制限、及び／又はナビゲーションシステムからの情報のような情報が当該第１投影面に表示される。特に好ましくは、もう一つの投影面すなわち第２投影面と観察者の目との間の距離は、第１投影面と観察者の目との間の距離よりも短い。好ましくは、安全関連情報、車両操作情報、及び／又は娯楽報道情報システムの情報が当該もう一つの投影面すなわち第２投影面に表示される。双方の投影面には、数字、文字及び／又は記号を表示することができる。
【０００８】
当該投影面のそれぞれに結像される複数の情報項目は、互いに異なり又は直接関連する。好ましくは、本発明に係るヘッドアップディスプレイは、３Ｄ画像を生成するべく使用することもできる。
【０００９】
複数の情報項目は、同時に及び／又は連続的に投影面に表示することができる。
【００１０】
投影面は、その情報を観察者が頭部を移動させることなく読み取ることができるように配列されるのが好ましい。例えば、一方又は他方の投影面からの情報を集めるには、単数の目又は複数の目の動きで十分である。代替的に又は付加的に、単数の目／複数の目の合焦を異ならせることによって、一方又は他方の投影面から情報を読み取ることもできる。
【００１１】
本発明に係るヘッドアップディスプレイは、一以上の結像ユニットを有し得る。結像ユニットの数は、投影面の数に等しいのが好ましい。しかしながら、一つの結像ユニットを使用して、同時に又は連続的に各投影面に表示される複数の画像を、同時に又は連続的に生成することもできる。連続的な表示の場合、画像の生成周波数は、人間の目がもはや解像できない程度まで高いことが好ましい。複数の画像が連続的に表示されても、観察者は、それらが同時に提示されているとの印象を持つ。
【００１２】
光学手段は、可動部分を有するのが好ましい。当該可動部分によって複数の画像が各投影面に生成される。光学手段の動きによって、複数の投影面間の切り替えが可能となる。
【００１３】
図１のみを参照して本発明を以下に説明する。この説明は単なる例示であって、本発明の一般的な概念を制限するものではない。
【図面の簡単な説明】
【００１４】
【図１】本発明に係るヘッドアップディスプレイ１を例示する。
【発明を実施するための形態】
【００１５】
図１は、本発明に係るヘッドアップディスプレイ１を例示する。当該ヘッドアップディスプレイ１は、結像ユニット（図示せず）を有する。結像ユニットは、この場合は鏡である光学手段２を使用して被投影画像を２つの投影面Ｉｖ１、Ｉｖ２に投影する。光学手段２は、自動車のダッシュボードＩＰの領域に配列される。この場合は２つの投影面である少なくとも一つの投影面は仮想投影面である。２つの投影面Ｉｖ１、Ｉｖ２は、例えば自動車運転者である観察者の目３から異なった距離Ｌ１、Ｌ２にある。一方の投影面Ｉｖ１の距離は、好ましくは１．８〜２．０ｍである。すなわち、この投影面は、自動車のフロントガラスの前に空間を置いて配置される。特に好ましくは、他方の投影面Ｉｖ２は、投影面Ｉｖ１よりも観察者の目から近い距離に存在する。好ましくは、これも同様に、自動車のフロントガラスの前に空間を置いて配置される。双方の投影面において、連続的に及び／又は同時に情報を表示することができる。一方の投影面Ｉｖ１に表示される情報は、他方の投影面Ｉｖ２に表示される情報に関連するか又は完全に異なる内容であり得る。例えば、双方の投影面に一緒に３Ｄ画像を生成することもできる。車両速度、既存の速度制限、及び／又はナビゲーションシステムからの情報に関連する情報が、好ましくは投影面Ｉｖ１に表示される。投影面Ｉｖ２には、自動車の操作状態及び／又は娯楽報道情報情報に関連する情報が表示されるのが好ましい。
【符号の説明】
【００１６】
１  ヘッドアップディスプレイ
２  光学手段、鏡
３  観察者の目
ＩＰ  ダッシュボード
Ｉｖ１  第１投影面、第１仮想投影面
Ｉｖ２  第２投影面、第２仮想投影面
Ｌ１  観察者の目と第１投影面Ｉｖ１との間の距離
Ｌ２  観察者の目と第１投影面Ｉｖ２との間の距離
【図１】
2018141997.tif 000003
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
自動車に搭載されるヘッドアップディスプレイ（１）であって、
複数の画像を生成する結像ユニットと、
光学手段（２）と
を含み、
前記光学手段（２）は、少なくとも２つの投影面（Ｉｖ１、Ｉｖ２）に前記画像を投影し、
前記投影面（Ｉｖ１、Ｉｖ２）は、観察者の目（３）から異なる距離に存在し、
前記結像ユニットはさらに、複数の画像を同時に又は連続的に生成するように構成され、
前記投影面（Ｉｖ１、Ｉｖ２）は、前記複数の画像をそれぞれの投影面において同時に又は連続的に表示するように構成され、
前記複数の画像が連続的に表示される場合には前記画像の生成周波数は、人間の目がもはや解像できない程度まで高く、
前記光学手段（２）は少なくとも一つの可動部分を含み、
前記可動部分は、前記可動部分の動きにより前記投影面（Ｉｖ１、Ｉｖ２）間の切り替えを行うように構成されるヘッドアップディスプレイ（１）。
【請求項２】
前記投影面（Ｉｖ１、Ｉｖ２）の少なくとも一方が仮想投影面である、請求項１に記載のヘッドアップディスプレイ（１）。
【請求項３】
前記投影面（Ｉｖ１、Ｉｖ２）は、一方が他方の後ろに配列される、請求項１又は２に記載のヘッドアップディスプレイ（１）。
【請求項４】
前記投影面（Ｉｖ１、Ｉｖ２）と前記観察者の目（３）との間の距離は１．６〜２．４ｍである、請求項３に記載のヘッドアップディスプレイ（１）。
【請求項５】
前記投影面（Ｉｖ１、Ｉｖ２）のそれぞれに表示される画像が一緒になって３Ｄ画像を生成する、請求項１から４のいずれか一項に記載のヘッドアップディスプレイ（１）。
【請求項６】
前記投影面（Ｉｖ１、Ｉｖ２）に表示される前記画像の情報内容は互いに独立である、請求項１から３のいずれか一項に記載のヘッドアップディスプレイ（１）。
【請求項７】
複数の情報項目が同時に又は連続的に前記投影面（Ｉｖ１、Ｉｖ２）に表示される、請求項１から６のいずれか一項に記載のヘッドアップディスプレイ（１）。
【請求項８】
２つの結像ユニットを有する、請求項１から７のいずれか一項に記載のヘッドアップディスプレイ（１）。
【請求項９】
前記投影面（Ｉｖ１、Ｉｖ２）と前記観察者の目（３）との間の距離は１．８〜２．０ｍである、請求項４に記載のヘッドアップディスプレイ（１）。
【外国語明細書】
2018141997000001.pdf